(57)【要約】【課題】  基礎に立設された送電鉄塔の主柱材である山形鋼の、地際部の腐食を防止可能な腐食防止設備、および腐食防止方法の提供。【解決手段】  主柱材２の外面２ｂを伝って落ちてくる雨水Ｗは、貫通誘導孔８に至ると貫通誘導孔８を通過して内面２ａに至り、補強材９の第一傾斜上面９ａに落ち、第一傾斜上面９ａを伝って地際部５から離れる方向へ排出され、あるいは、補強材９の第一傾斜上面９ａに落ちて、傾斜コンクリート材１０の第二傾斜上面１０ａに至り、地際部５から離れる方向へ排出されて、地際部５の腐食が抑制される。【選択図】  図１
2018123577.tif 000002
【特許請求の範囲】
【請求項１】
基礎に立設された送電鉄塔の主柱材である山形鋼の外面を伝う雨水を、該山形鋼の内面へ誘導する誘導手段と、該誘導手段によって前記山形鋼の前記内面へ誘導された雨水を、前記山形鋼における前記基礎の近傍である地際部から排除すべく、該地際部から離れる方向へ向かって下傾斜する傾斜面部とを備えたことを特徴とする腐食防止設備。
【請求項２】
前記誘導手段は、前記山形鋼の板面に形成された孔である請求項１に記載の腐食防止設備。
【請求項３】
前記山形鋼の前記内面に、前記地際部に沿わせるように板状の補強用鋼材が接合されており、該補強用鋼材の上面が前記傾斜面部の一部とされた請求項１または請求項２に記載の腐食防止設備。
【請求項４】
基礎に立設された送電鉄塔の主柱材である山形鋼の外面を伝う雨水を、誘導手段を用いて前記山形鋼の内面へ誘導し、前記山形鋼の前記内面へ誘導された雨水を、前記山形鋼において前記基礎の近傍である地際部から離れる方向へ向かって下傾斜する傾斜面部によって、前記地際部から排除することを特徴とする腐食防止方法。
【発明の詳細な説明】
【技術分野】
【０００１】
本発明は、送電鉄塔の主柱材である山形鋼における、その地際部の腐食防止設備および腐食防止方法に関する。
【背景技術】
【０００２】
従来、雨水等による鉄塔敷地の土留めの崩れを防止するために、送電鉄塔を伝わる雨水を集めて、特別に設けた排水槽に排出するようにした鉄塔用雨水排水装置が提案されている（下記、特許文献１参照）。
【０００３】
ところで一般に、送電鉄塔を構成する主柱材（脚）は四本の山形鋼を用いて構成され、各山形鋼は、その地際部を基礎コンクリートに埋め込むようにして立設されている。このような送電鉄塔において、基礎コンクリートに対する山形鋼の地際部は、基礎コンクリート上面との間に、いわゆる吹溜りを形成してしまい、この吹溜りには土砂（土埃）や落葉等が堆積する。この吹溜りは雨水等による湿潤状態も形成してしまうため、土砂や落葉は乾燥しにくく、そうなると山形鋼の地際部が腐食する。
【先行技術文献】
【特許文献】
【０００４】
【特許文献１】特開２０１４−９５２５０号公報
【発明の概要】
【発明が解決しようとする課題】
【０００５】
しかしながら、上記特許文献１に記載された鉄塔用雨水排水装置は、鉄塔敷地の土留めの崩れを防止するために、送電鉄塔を構成する鉄塔部材を伝わる雨水を集めて、特別に設けた排水槽に排出する構成であり、山形鋼の地際部の腐食を抑制する技術ではない。
【０００６】
そこで本発明は、基礎に立設された送電鉄塔の主柱材である山形鋼の、地際部の腐食を防止可能な腐食防止設備、および腐食防止方法の提供を目的とする。
【課題を解決するための手段】
【０００７】
本発明の腐食防止設備は、基礎に立設された送電鉄塔の主柱材である山形鋼の外面を伝う雨水を、該山形鋼の内面へ誘導する誘導手段と、該誘導手段によって前記山形鋼の前記内面へ誘導された雨水を、前記山形鋼における前記基礎の近傍である地際部から排除すべく、該地際部から離れる方向へ向かって下傾斜する傾斜面部とを備えたことを特徴としている。
【０００８】
かかる構成を備える本発明の腐食防止設備によれば、山形鋼の外面を伝う雨水は、誘導手段によって山形鋼の内面へ誘導され、山形鋼において基礎の近傍である地際部へ向かう。地際部へ至った雨水は、傾斜面部の下傾斜に倣うように誘導されることで地際部から排除され、地際部に土砂や落葉等が滞留していれば、土砂や落葉等の異物は、雨水とともに傾斜面部の下傾斜に倣うように誘導されて、地際部から排除される。このように、雨水が地際部から排除されることで、地際部の湿潤状態が作られにくく、地際部の腐食を防止できる。
【０００９】
本発明に係る腐食防止設備の一態様として、前記誘導手段は、前記山形鋼の板面に形成された孔である構成を採用できる。
【００１０】
かかる構成の腐食防止設備によれば、山形鋼の外面を伝う雨水は、孔を通過して山形鋼の内面へ誘導され、地際部へ向かう。孔を通過して地際部へ至った雨水は、傾斜面部の下傾斜に倣うように誘導されることで地際部から排除され、地際部に土砂や落葉等が滞留していれば、土砂や落葉等の異物は、雨水とともに傾斜面部の下傾斜に倣うように誘導されて、地際部から排除される。さらに、誘導手段を山形鋼に形成した孔とすれば、風が孔を通ることで、地際部の土砂や落葉等の異物が風圧で地際部から排除される。さらに、孔からの空気の流れによって地際部の湿潤状態が解消され易い。
【００１１】
本発明に係る腐食防止設備の他態様として、前記山形鋼の前記内面に、前記地際部に沿わせるように板状の補強用鋼材が接合されており、該補強用鋼材の上面が前記傾斜面部の一部とされた構成を採用できる。
【００１２】
かかる構成によれば、誘導手段で山形鋼の外面から内面へ誘導された雨水は、補強用鋼材の上面を移動して地際部から排除される。補強用鋼材は、既設の送電鉄塔（山形鋼）の地際部に沿わせるように設けることができるし、送電鉄塔を新設する際に地際部に沿わせるよう、送電鉄塔と同時に施工することもできる。何れにしても、補強材を送電鉄塔（山形鋼）の地際部に沿って接合した構成とすることで、当該地際部の湿潤状態や腐食状態が形成されにくくなり、山形鋼の減肉による送電鉄塔の強度低下を防止することができる。また、補強用鋼材は送電鉄塔とは別物であるので、補強用鋼材が腐食し減肉した場合でも、送電鉄塔の強度に影響しない。
【００１３】
本発明の腐食防止方法は、基礎に立設された送電鉄塔の主柱材である山形鋼の外面を伝う雨水を、誘導手段を用いて前記山形鋼の内面へ誘導し、前記山形鋼の前記内面へ誘導された雨水を、前記山形鋼において前記基礎の近傍である地際部から離れる方向へ向かって下傾斜する傾斜面部によって、前記地際部から排除することを特徴としている。
【００１４】
かかる本発明の腐食防止方法によれば、誘導手段によって山形鋼の外面から内面に誘導された雨水は、傾斜面部によって地際部から排除され、地際部に土砂や落葉等が滞留していれば、土砂や落葉等の異物は雨水とともに地際部から排除されるので、地際部の湿潤状態が作られにくく、地際部の腐食を防止できる。
【発明の効果】
【００１５】
本発明の腐食防止設備および腐食防止方法によれば、基礎に立設された送電鉄塔の主柱材である山形鋼における、その地際部の腐食を抑制することができる。
【図面の簡単な説明】
【００１６】
【図１】本発明の第一の実施形態の腐食防止設備を表す要部斜視図である。
【図２】同じく図１の拡大斜視図である。
【図３】本発明の第二の実施形態の腐食防止設備を表す要部斜視図である。
【図４】同じく図３の拡大斜視図である。
【図５】同じく腐食防止設備を表す一部断面図である。
【図６】本発明の第二の実施形態を表す腐食防止設備の要部斜視図である。
【図７】本発明の第三の実施形態の腐食防止設備を表す全体概略構成図である。
【発明を実施するための形態】
【００１７】
以下、本発明の一実施形態に係る腐食防止設備、および腐食防止方法について、図面を参照しつつ説明する。本発明の腐食防止設備は、送電鉄塔の地際部の腐食を防止するための設備であり、腐食防止方法は、腐食防止設備を用いて送電鉄塔の地際部の腐食を防止するための方法である。
【００１８】
図１および図２を参照して、以下に本発明の第一の実施形態に係る腐食防止設備を説明する。送電鉄塔１は一般的な構成を備えており、図１に示すように、その主柱材２は山形鋼により構成されている。この場合、山形鋼は等辺山形鋼である。送電鉄塔１は、四本の主柱材２を備えており（図１では一本のみ表している）、これら主柱材２の上部側は互いに近付くよう傾斜させており、また、それぞれの主柱材２の基部が基礎コンクリート３に埋設されることで、送電鉄塔１として起立状態を維持されている。
【００１９】
主柱材２を構成する四本の山形鋼は、谷折りされた内面２ａ側を、対角線上で対向するよう配置されている。送電鉄塔１は主柱材２の間を連結するための腹材４をさらに備えて、全体としてトラス構造からなる。基礎コンクリート３は一般的な構成であり、直方体状に形成されて、その天端面３ａは平坦な略水平面に形成されている。
【００２０】
図１、図２に示すように、第一の実施形態に係る腐食防止設備Ａは、主柱材２である山形鋼の外面２ｂを伝う雨水Ｗを山形鋼の内面２ａへ誘導する誘導手段と、誘導手段によって山形鋼の内面２ａへ誘導された雨水Ｗを、山形鋼における基礎コンクリート３の近傍である地際部５周りから排除すべく、地際部５から離れる方向へ向かって下傾斜する傾斜面部６とを備える。
【００２１】
図２に示すように、誘導手段は、山形鋼の鋼材７の板面に直交する方向で形成した貫通誘導孔８である。貫通誘導孔８は、鋼材７の地際部５側寄りに形成されている。貫通誘導孔８の個数は一個に制限されないが、山形鋼が主柱材２として必要な強度を損なわないように設定する必要がある。貫通誘導孔８の径は、雨水Ｗを内面２ａに導くことができ、しかも山形鋼が主柱材２として必要な強度を損なわないように設定する必要がある。地際部５からの貫通誘導孔８の離間距離は特に制限されないが、できるだけ多くの雨水Ｗが内面２ａに誘導されるよう、地際部５の近傍が好ましい。
【００２２】
傾斜面部６は、補強材９および傾斜コンクリート材１０の上面によって構成されている。補強材９には折り曲げられた板状の鋼材が用いられている。基礎コンクリート３における地際部５の接触部分を溝状に斫って（切除して）、埋設溝１１が形成されている。補強材９は、その一部を埋設溝１１に埋設するようにして、地際部５に沿って、地際部５に接合されている。
【００２３】
補強材９の上面は第一傾斜上面９ａであり、第一傾斜上面９ａは、鋼材７の内面２ａに沿って、隣り合う主柱材２側へ下傾斜している。補強材９の傾斜先端部は、基礎コンクリート３の天端面３ａに対して垂直方向に立ち上げられている。なお、本実施形態では、貫通誘導孔８は、補強材９の第一傾斜上面９ａに対して上側近傍に形成されている。
【００２４】
傾斜コンクリート材１０は、補強材９の前側（鋼材７間）に打設されてなり、傾斜コンクリート材１０の上面は、地際部５から離れる方向へ下傾斜した第二傾斜上面１０ａである。傾斜コンクリート材１０の傾斜先端部は、補強材９の傾斜先端部と同様に、基礎コンクリート３の天端面３ａに対して垂直方向に立ち上げられている。補強材９の第一傾斜上面９ａと傾斜コンクリート材１０の第二傾斜上面１０ａとは面一であり、傾斜面部６は、両傾斜上面９ａ，１０ａによって構成されている。
【００２５】
第一の実施形態における腐食防止方法は、上記構成の腐食防止設備Ａを用いることで実施される。すなわち、鋼材７の板面に直交する方向に貫通誘導孔８を形成すると、主柱材２の上部側は互いに近付くよう傾斜しているから、貫通誘導孔８は、鋼材７の内面２ａ側へ向けて下傾斜することになる。
【００２６】
主柱材２の外面２ｂを伝って落ちてくる雨水Ｗは、貫通誘導孔８に至ると貫通誘導孔８を外面２ｂ側から内面２ａ側へ通過して内面２ａに至り、腐食防止設備Ａとして特別に設置した補強材９の第一傾斜上面９ａに落ち、第一傾斜上面９ａを伝って地際部５から離れる方向へ排出される。あるいは、貫通誘導孔８を外面２ｂ側から内面２ａ側へ通過して内面２ａに至った雨水Ｗは、補強材９の第一傾斜上面９ａに落ちて、腐食防止設備Ａとして特別に設置した傾斜コンクリート材１０の第二傾斜上面１０ａに至り、この第二傾斜上面１０ａによって、地際部５から離れる方向へ排出される。
【００２７】
仮に第一傾斜上面９ａや第二傾斜上面１０ａに細かな土砂１２や落葉１３が載っていた場合には、これらの異物は雨水Ｗとともに地際部５から排除される。これら給水し易い異物が地際部５に対して排除されることで、主柱材２の地際部５に湿潤状態が形成されにくくなって、地際部５の腐食を抑制ないし防止することができる。
【００２８】
第一の実施形態では、誘導手段は、山形鋼の鋼材７の板面に直交する方向で形成した貫通誘導孔８である。このように、誘導手段を貫通誘導孔８とすれば、風が貫通誘導孔８を通ることで、地際部５にある土砂１２や落葉１３等の異物を風圧で地際部５から排除することができる。さらに、貫通誘導孔８からの空気の流れによって地際部５の湿潤状態が解消され易い。
【００２９】
また、補強材９を地際部５に沿って接合しているから、地際部５に湿潤状態を形成しにくくし、山形鋼の腐食を防止することで、送電鉄塔１として必要な強度を確保することができ、補強材９を、送電鉄塔１を構成する主柱材２と別物としていることで、補強材９が腐食し減肉した場合でも、送電鉄塔１の強度に影響がない。
【００３０】
次に、図３ないし図５を参照して、本発明の第二の実施形態に係る腐食防止設備を説明する。なお、第一の実施形態と同様の構成部品については、同一の符号を付して、その説明を繰り返さない。
【００３１】
第一の実施形態における腐食防止設備Ａでは、補強材９の傾斜先端部、および傾斜コンクリート材１０の傾斜先端部は、基礎コンクリート３の天端面３ａに対して垂直方向に立ち上げられているから、補強材９の第一傾斜上面９ａ、傾斜コンクリート材１０の第二傾斜上面１０ａと、基礎コンクリート３の天端面３ａとに段差が生じている。
【００３２】
これに対し第二の実施形態の腐食防止設備Ａでは、図３および図４に示すように、傾斜コンクリート材１０の傾斜先端部と基礎コンクリート３の天端面３ａとが一致するよう、傾斜コンクリート材１０の第二傾斜上面１０ａを一定の傾斜角度で傾斜させて、その傾斜先端部が基礎コンクリート３の天端面３ａに接続されている。
【００３３】
第二の実施形態における腐食防止方法は、上記構成の腐食防止設備Ａを用いることで実施される。本発明の第二の実施形態に係る腐食防止設備Ａでは、傾斜コンクリート材１０の傾斜先端部が基礎コンクリート３の天端面３ａに接続されていることで、図５に示すように、土砂１２や落葉１３等の異物は、雨水Ｗの流れにより、地際部５に対して円滑に、且ついっそう離れるように排除され、地際部５に湿潤状態の形成が抑制される。
【００３４】
上記実施形態では、傾斜コンクリート材１０の第二傾斜上面１０ａを一定の傾斜角度で傾斜させたが、これに限定されることなく、図６の第二の実施形態に示すように、第二傾斜上面１０ａを傾斜途中で大きく傾斜させて、その傾斜先端部を基礎コンクリート３の天端面３ａに接続するよう構成してもよい。
【００３５】
また、図示しないが、傾斜コンクリート材１０の傾斜先端部を基礎コンクリート３の天端面３ａに接続するよう傾斜させたのと同様に、補強材９の傾斜先端部も基礎コンクリート３の天端面３ａに接続するよう傾斜させることもできる。
【００３６】
次に、図７を参照して、本発明の第三の実施形態に係る腐食防止設備Ａを説明する。第三の実施形態に係る腐食防止設備Ａは、送電鉄塔１において、横方向に配置した腹材４（等辺山形鋼からなる）に、吊持部材１４を介して樋１５が腹材４に沿うよう配置され、樋１５の端部に、地際部５の内面２ａ側に向けて雨水Ｗを落下させる排水管１７を接続してなる。樋１５は、主柱材２の外面２ｂを流れる雨水Ｗを併せて回収するよう構成されている。
【００３７】
第三の実施形態における腐食防止方法は、上記構成の腐食防止設備Ａを用いることで実施される。すなわち、主柱材２および腹材４の外面２ｂに付着した雨水Ｗは樋１５に落下し、樋１５から排水管１７へ落下し、排水管１７によって地際部５の内面２ａ側に向けて雨水Ｗが落下案内されることで、地際部５における湿潤状態の形成を抑制する。
【００３８】
本発明は上記実施形態に限定されず、誘導手段は、主柱材２の外面２ｂを落下する雨水Ｗを、内面２ａに誘導するものであれば、主柱材２の鋼材７の板面に形成した溝であってもよい。
【００３９】
上記各実施形態では、補強材９は、既設の送電鉄塔１の地際部５に、後施工によって設置する場合を例示した。しかしながら、補強材９は、送電鉄塔１を新設する際にその地際部５に沿わせるよう宛がった状態で、送電鉄塔１と同時に設置することもできる。このように、同時に設置する場合では、基礎コンクリート３を斫るための手間を省略することができる。
【００４０】
補強材９を既設の送電鉄塔１の地際部５に後施工によって設置するにしても、送電鉄塔１を新設する際にその地際部５に沿わせるよう同時に施工するにしても、補強材９を送電鉄塔１と別物とすることで、補強材９が腐食し減肉した場合でも、送電鉄塔１の強度に影響しない。
【００４１】
上記実施形態では、誘導手段である貫通誘導孔８は、山形鋼の鋼材７の板面に直交する方向に形成した場合を例示した。しかしながら、貫通誘導孔８は、山形鋼の鋼材７の板面に直交する方向に限らず、板面に交差する傾斜した方向に形成することもできる。貫通誘導孔８を板面に交差する傾斜した方向に形成した場合でも、山形鋼の鋼材７の外面を伝う雨水Ｗは、貫通誘導孔８を通過して山形鋼の内面へ誘導され、地際部５へ向かう。そして、地際部５へ至った雨水Ｗは、傾斜面部６の下傾斜に倣うように誘導されることで地際部５から排除され、地際部５に土砂１２や落葉１３等が滞留していれば、これらは雨水Ｗとともに傾斜面部６の下傾斜に倣うように誘導されて、地際部５から排除される。
【符号の説明】
【００４２】
１…送電鉄塔、２…主柱材、２ａ…内面、２ｂ…外面、３…基礎コンクリート、３ａ…天端面、４…腹材、５…地際部、６…傾斜面部、７…鋼材、８…貫通誘導孔、９…補強材、９ａ…第一傾斜上面、９ａ，１０ａ…傾斜上面、１０…傾斜コンクリート材、１０ａ…第二傾斜上面、１１…埋設溝、１２…土砂、１３…落葉、Ｗ…雨水
【図１】
2018123577.tif 000003
【図２】
2018123577.tif 000004
【図３】
2018123577.tif 000005
【図４】
2018123577.tif 000006
【図５】
2018123577.tif 000007
【図６】
2018123577.tif 000008
【図７】
2018123577.tif 000009